(57)【要約】【課題】左右独立して、いずれの側からでも乳房を固定することが可能なブラジャーを提供する。【解決手段】ブラジャー１０は、図１及び図２に示すように、右カップ１１と、左カップ１２と、右肩ひも１３と、左肩ひも１４と、背部１５と、アンダーリブ（帯部）１６と、右ホール２１と、左ホール２２と、右止定部２３と、右被止定部２４と、左止定部２５と、左被止定部２６と、を備える。アンダーリブ１６に左右のホールを設け、アンダーリブ１６の一端をホールを通して止定することにより、左右独立して、いずれの側からでも乳房を固定することが可能となる。【選択図】図２
2011006825.tif 000002
【特許請求の範囲】
【請求項１】
右乳房を覆う右カップと、左乳房を覆う左カップと、前記右カップの下部と前記左カップの下部とに接続され、着用者の胴体に巻かれる帯部と、を備え、
前記帯部は、前記帯部の内側の右端に設けられた右止定部と、前記帯部の内側の左端に設けられた左止定部と、前記帯部の外側の着用者の右半身に対応する位置に設けられた右被止定部と、前記帯部の外側の左半身に対応する位置に設けられた左被止定部と、着用者の右半身に対応する位置に設けられた右ホールと、着用者の左半身に対応する位置に設けられた左ホールと、を備え、
前記右止定部は、前記帯部の内側から前記左ホールを通して前記左被止定部に止定され、又は、前記左止定部は、前記帯部の内側から前記右ホールを通して、前記右被止定部に止定されることを特徴とするブラジャー。
【請求項２】
前記右止定部が前記帯部の内側から前記左ホールを通して前記左被止定部に止定される場合、前記左止定部は前記右ホールを通さずに前記右被止定部に止定され、
前記左止定部が前記帯部の内側から前記右ホールを通して前記右被止定部に止定される場合、前記右止定部は前記左ホールを通さずに前記左被止定部に止定されることを特徴とする請求項１に記載のブラジャー。
【請求項３】
前記右ホールは、前記右被止定部より着用者の前半身の中央寄りに設けられ、
前記左ホールは、前記左被止定部より着用者の前半身の中央寄りに設けられることを特徴とする請求項１又は２に記載のブラジャー。
【請求項４】
前記帯部は伸縮性を有する生地から形成されており、
前記帯部は、前記帯部と比較して低い伸縮性を有する低伸縮部を更に備えることを特徴とする請求項１乃至３のいずれか１項に記載のブラジャー。
【請求項５】
前記低伸縮部は、帯部の着用者の後半身の中央近傍に対応する位置、又は両脇近傍に対応する位置に設けられることを特徴とする請求項４に記載のブラジャー。
【請求項６】
前記右カップと前記左カップの着用者の前中心側の縁には、前記帯部と一体に形成されたパイピングが設けられることを特徴とする請求項１乃至５のいずれか１項に記載のブラジャー。
【請求項７】
前記右カップ及び前記左カップの内側には、それぞれポケットが設けられることを特徴とする請求項１乃至６のいずれか１項に記載のブラジャー。
【発明の詳細な説明】
【技術分野】
【０００１】
本発明は、左右独立して、いずれからでも乳房を固定可能なブラジャーに関する。
【背景技術】
【０００２】
従来のブラジャーは、バック、もしくは特許文献１に記載されているように、フロントにホック等の止定部材を有しアンダーを調節している。また、スポーツブラのようにホックがなく、被るタイプのものがある。
【先行技術文献】
【特許文献】
【０００３】
【特許文献１】特開２００４−３６０１２６号公報
【発明の概要】
【発明が解決しようとする課題】
【０００４】
ところで、加齢、乳ガンの手術等により、腕の可動範囲が限られてくると、着用者の背面で止定する構成では、腕がまわらず着用が難しいという問題があり、被るように着用する構成も腕が上がらず着用が難しいという問題がある。
【０００５】
この点、フロントで止定する構成では、腕を背面にまわす必要はない。しかし、例えば乳ガン等で乳房を切除した場合、左右で乳房の大きさが異なるため、切除した側のカップにシリコンパッド等を入れ、左右の大きさの調整を行うことがある。特に、乳房全部を切除した場合、胸が平らになり、パッドなどを固定することが困難になるという問題がある。また、温存し、一部のみを切除した場合であっても、切除の位置によって、手術後の乳房は様々な形となるという問題がある。このため、左右の乳房を独立して固定できないと、手術をした方のカップにシリコンパッドを安定して固定することが困難であるという問題がある。また、手術により腕が上に上がりにくくなるため、左右いずれからでも着用者が着用しやすい側から着用できることが求められる。
【０００６】
これは、乳房を切除した場合に限られず、体調、体型等から、左右の乳房をそれぞれに安定して固定させたい場合にも当てはまる問題である。
【０００７】
また、授乳をする際は、授乳をしていない側の乳房が安定して固定されている必要があるため、特に左右の乳房をそれぞれに安定して固定させることが求められ、更には、授乳しやすさは着用者や状況によるため、左右のいずれからでも乳房を固定可能であることが求められる。
【０００８】
このように、左右の乳房をそれぞれを安定して固定するため、左右独立して、いずれからでも乳房を固定可能なブラジャーが求められている。
【０００９】
本発明は、上述した実情を鑑みてなされたものであり、左右独立して、いずれの側からでも乳房を固定することが可能なブラジャーを提供することを目的とする。
【課題を解決するための手段】
【００１０】
上記目的を達成するため、本発明の第１の観点に係るブラジャーは、
右乳房を覆う右カップと、左乳房を覆う左カップと、前記右カップの下部と前記左カップの下部とに接続され、着用者の胴体に巻かれる帯部と、を備え、
前記帯部は、前記帯部の内側の右端に設けられた右止定部と、前記帯部の内側の左端に設けられた左止定部と、前記帯部の外側の着用者の右半身に対応する位置に設けられた右被止定部と、前記帯部の外側の左半身に対応する位置に設けられた左被止定部と、着用者の右半身に対応する位置に設けられた右ホールと、着用者の左半身に対応する位置に設けられた左ホールと、を備え、
前記右止定部は、前記帯部の内側から前記左ホールを通して前記左被止定部に止定され、又は、前記左止定部は、前記帯部の内側から前記右ホールを通して、前記右被止定部に止定されることを特徴とする。
【００１１】
前記右止定部が前記帯部の内側から前記左ホールを通して前記左被止定部に止定される場合、前記左止定部は前記右ホールを通さずに前記右被止定部に止定され、
前記左止定部が前記帯部の内側から前記右ホールを通して前記右被止定部に止定される場合、前記右止定部は前記左ホールを通さずに前記左被止定部に止定されてもよい。
【００１２】
前記右ホールは、前記右被止定部より着用者の前半身の中央寄りに設けられ、
前記左ホールは、前記左被止定部より着用者の前半身の中央寄りに設けられてもよい。
【００１３】
前記帯部は伸縮性を有する生地から形成されており、
前記帯部は、前記帯部と比較して低い伸縮性を有する低伸縮部を更に備えてもよい。
【００１４】
前記低伸縮部は、帯部の着用者の後半身の中央近傍に対応する位置、又は両脇近傍に対応する位置に設けられてもよい。
【００１５】
前記右カップと前記左カップの着用者の前中心側の縁には、前記帯部と一体に形成されたパイピングが設けられてもよい。
【００１６】
前記右カップ及び前記左カップの内側には、それぞれポケットが設けられてもよい。
【発明の効果】
【００１７】
本発明では、カップ部下のアンダーリブにホールを設けることにより、左右独立して、いずれの側からでも乳房を固定することが可能なブラジャーを提供することができる。
【図面の簡単な説明】
【００１８】
【図１】実施形態に係るブラジャーの正面図である。
【図２】実施形態に係るブラジャーを開いた状態を示す図である。
【図３】（ａ）は実施形態に係るブラジャーの側面図であり、（ｂ）は止定部分を拡大して示す図である。
【図４】実施形態に係るブラジャーの背面図である。
【図５】内ポケットを説明する図である。
【図６】実施形態に係るブラジャーを説明する図である。
【図７】（ａ）及び（ｂ）は、ブラジャーの着用方法を示す図である。
【図８】（ａ）及び（ｂ）は止定方法を示す図である。
【図９】ホールの変形例を示す図である。
【図１０】（ａ）及び（ｂ）はパイピングの変形例を示す図である。
【発明を実施するための形態】
【００１９】
本発明の実施形態に係るブラジャーについて、図面を用いて説明する。
【００２０】
図１は、実施形態に係るブラジャー１０の正面図であり、図２は、ブラジャー１０を開いた状態を示す図である。また、図３（ａ）はブラジャー１０の側面図であり、図３（ｂ）は止定部分を拡大して示す図である。図４は、ブラジャー１０の背面図である。
【００２１】
ブラジャー１０は、図１及び図２に示すように、右カップ１１と、左カップ１２と、右肩ひも１３と、左肩ひも１４と、背部１５と、アンダーリブ（帯部）１６と、右ホール２１と、左ホール２２と、右止定部２３と、右被止定部２４と、左止定部２５と、左被止定部２６と、を備える。
【００２２】
右カップ１１は、着用者の右乳房を覆う大きさに形成される。右カップ１１の上部には右肩ひも１３が設けられ、右カップ１１の脇（着用者の右側面に対応）は、背部１５に縫合されている。右カップ１１の下部にはアンダーリブ１６が設けられる。左カップ１２は、右カップ１１と同様であり、着用者の左乳房を覆う大きさに形成され、左カップ１２の上部には左肩ひも１４が設けられ、左カップ１２の脇（着用者の左側面に対応）は、背部１５に縫合されている。左カップ１２の下部にはアンダーリブ１６が設けられる。
【００２３】
また、本実施形態の右カップ１１、左カップ１２の双方の内側（着用者の身体側）には、それぞれ図２に示すように、内ポケット３１，３２を設けてもよい。内ポケットは、各カップより狭い面積であり、この内ポケット３１，３２には、図５に示すように左右の乳房の大きさを調整するためのパッド（シリコンパッド、オイルパッド等）４０、母乳用のパッド等を入れることができる。
【００２４】
右肩ひも１３は、右カップ１１の上部と背部１５との間に設けられる。また、左肩ひも１４は、左カップ１２の上部と背部１５との間に設けられる。右肩ひも１３及び左肩ひも１４の幅は、所定程度の幅、例えば一方の肩の１／３〜１／４程度の幅に設けられると安定感が増すため、好ましいが、これより狭い幅としてもよい。
【００２５】
背部１５は、右肩ひも１３及び左肩ひも１４と、アンダーリブ１６との間に設けられる。本実施形態では、着用の安定感を増すため、図２に示すように背部は、着用者の背中を所定程度覆う広さに形成される。
【００２６】
また、本実施形態では、図２に示すように右カップ１１、右肩ひも１３、背部１５とから、着用者の右腕を通すアームホールが形成される。同様に、左カップ１２、左肩ひも１４、背部１５とから、着用者の左腕を通すアームホールが形成される。
【００２７】
なお、右カップ１１、右肩ひも１３、背部１５と、それぞれの外側の縁（図２に点線で示す位置に対応）に、一体のパイピングを施すことにより、右カップ１１、右肩ひも１３、背部１５と、の一体性が増し、乳房の固定を更に高めることができる。左カップ１２、左肩ひも１４についても同様である。なお、アームホールを構成する左右のカップ、左右の肩ひも、背部の縁部分についても同様に一体のパイピングを施すとよい。
【００２８】
また、図１０（ａ）に示すように、右カップ１１と左カップ１２、右肩ひも１３、左肩ひも１４の着用者の前中心側の縁と、アンダーリブ１６のうち左右のカップ及び背部１５に縫合されていない部分とに、一体且つ連続するパイピング１６ｂを形成すると、図１０（ａ）で矢印で示すように、アンダーリブ１６を止定する際に生ずるテンションを利用することができる。これにより、右カップ１１及び左カップ１２の縁でも、パイピング１６ｂが収縮しようとする力が発生し、ブラジャー１０のカップを乳房に更に密着させ、乳房をより安定して固定することができるため、好ましい。更に、図１０（ｂ）に示すように、右カップ１１と左カップ１２、右肩ひも１３、左肩ひも１４の着用者の前中心側の縁に、アンダーリブ１６と一体且つ連続に形成されたパイピング１６ｃを設けてもよい。パイピング１６ｃは、図１０（ｂ）に示すように、左右のカップの下端でアンダーリブ１６と分岐するような形で形成される。図１０（ｂ）でも同様に、パイピング１６ｃが収縮しようとする力が発生し、ブラジャー１０のカップを乳房に更に密着させ、乳房をより安定して固定することができる。なお、左右の肩ひもを省略する場合、又は、左右の肩ひもを取り外し可能な肩ひもとする場合、又は肩ひもとカップとを一体に形成しない場合等は、左右のカップの着用者の前中心側の縁にのみパイピング１６ｂ又は１６ｃを設けてもよい。
【００２９】
アンダーリブ（帯部）１６は、右カップ１１、左カップ１２、及び背部１５の下に設けられ、帯状に形成される。アンダーリブ１６は伸縮性を有する材料から形成され、ブラジャー１０の着用者の胴体に巻きつけられる。本実施形態では、図６に示すように、アンダーリブ１６の有する胴体の周方向の伸縮性を利用することにより、ブラジャー１０が胴体に密着し、乳房を安定して固定することができる。また、アンダーリブ１６の内側（着用者の身体側）の右端には、図２に示すように右止定部２３が設けられ、左端には左止定部２５が設けられる。左止定部２５は、図３（ａ）及び（ｂ）に示すように、アンダーリブ１６の内側から右ホール２１を通して、アンダーリブ１６の外側（着用者の身体の反対側）に設けられた右被止定部２４に止定される。左止定部２５を、アンダーリブ１６の内側から、右ホール２１を通して、アンダーリブ１６の外側に設けられた右被止定部２４に止定した場合は、右止定部２３は、左ホール２２を用いずに、アンダーリブ１６の外側に設けられた左被止定部２６に止定される。逆に、右止定部２３を左ホール２２を通して止定した場合、左止定部２５は、右ホール２１を用いずに、アンダーリブ１６の外側に設けられた右被止定部２４に止定される。
【００３０】
また、本実施形態ではアンダーリブ１６は、帯状に形成されており、右止定部２３と、右被止定部２４と、左止定部２５と、左被止定部２６とによって止定されるため、アンダーリブ１６の長さは、着用者の胴囲よりも長い。また、例えば１箇所でアンダーリブを止定する構成と比較し、アンダーリブ１６自体の長さが長くなるため、ブラジャー１０のアンダー部分の長さを調節することが可能な範囲を広くすることができる。更に、本実施形態では、図４に示すように、アンダーリブ１６の背中心近傍に、伸縮性を有しない又はアンダーリブ１６と比較し伸縮性が低い生地を用いた低伸縮部１６ａを設けることにより、アンダーリブ１６の右端を引っ張った際に、アンダーリブ１６の左側半分が引っ張られないようにすることができる。このような低伸縮部１６ａを設けることにより、左右のいずれか一方を固定する際に、他方が引っ張られて、ずれることを防ぐことができる。なお、この低伸縮部１６ａは、背中心の近傍に設けられる場合に限られず、左右の脇近傍に設けることも可能である。また、後右半身、後左半身に対応する位置に設けてもよい。
【００３１】
右止定部２３、右被止定部２４、左止定部２５、左被止定部２６としては、アンダーリブ１６を着脱可能に止定することが可能部材、例えば面ファスナー、スナップ、フック等を用いる。例えば、面ファスナーを用いる場合、左右の止定部としてはオス型の面ファスナーを用い、左右の被止定部として、メス型のファスナーを用いる。更に、被止定部、例えばメス型のファスナーを止定に必要な程度よりも長く設けることにより、止定部を止定する場所を調節することができ、アンダーリブ１６の伸縮性に加えて、更にアンダーリブ１６による締め付け具合を調節することができ好ましい。また、スナップ、フック等を用いる場合は、被止定部として用いる複数個の部材を並べて設けるとよい。なお、止定部としてスライダーを用い、被止定部としてはレールを用いることにより、止定位置の調整を行ってもよい。
【００３２】
右ホール２１は、右被止定部２４よりも前半身の中心側に設けられている。同様に左ホール２２は、左被止定部２６よりも前半身の中心側に設けられている。右ホール２１及び、左ホール２２は、アンダーリブ１６にアンダーリブ１６の右又は左端を通すことが可能な大きさの穴であり、ホールの縁にはボタンホールのようにステッチがかけられている。なお、右ホール２１、左ホール２２としては、金属のハトメや輪などを使用してもよいし、図９に示すように、布を重ね合わせることにより形成したホールであってもよい。
【００３３】
なお、本実施形態では、図３（ａ）に示すように止定位置を着用者の左右の側面に設ける構成を例に挙げて説明しているが、右ホール２１、右被止定部２４を設ける位置は、着用者の右半身に対応する位置であれば、図３（ａ）に示すよりも着用者の前半身中央に寄っていても、後半身中央に寄っていてもよい。左ホール２２、左被止定部２６についても同様である。
【００３４】
次に、本実施形態のブラジャー１０の着用方法を図７（ａ）及び（ｂ）、図８（ａ）及び（ｂ）に示す。
【００３５】
まず、アームホールに腕を通し、左右の肩ひもをそれぞれの肩にかけ、背部１５を背にあてる。
【００３６】
次に、左右、いずれか一方のカップを乳房にあてる。ここで、パッド等を用いる場合は、内ポケットに入れておく。なお、図７（ａ）では右カップ１１を右の乳房を覆うようにあてている。続いて、図７（ａ）に示すように、アンダーリブ１６の右端を、アンダーリブ１６の内側（着用者の身体側）から、左ホール２２を通し、左被止定部２６に留める。これにより、アンダーリブ１６を胴体に巻き、右の乳房を固定する。
【００３７】
次に、他方のカップを乳房にあてる。図７（ｂ）では、左カップ１２を左の乳房を覆うようにあてている。続いて、アンダーリブ１６の左端を、アンダーリブ１６の外側（着用者の身体とは反対側）から、右被止定部２４に留める。これにより、アンダーリブ１６を胴体に巻き、左の乳房を固定する。
以上から、ブラジャー１０を着用する。
【００３８】
なお、本実施形態では、先に留める端のみをホールを通して止定位置に留め、後で留める方は、ホールを用いずに被止定部に留める。具体的には、図８（ａ）及び（ｂ）に示すように、左止定部２５を先に右ホール２１を用いて止定した場合、図８（ａ）に示すように、左ホール２２は用いず、アンダーリブ１６の外側から左被止定部２６に右止定部２３を留める。
【００３９】
このように、本実施形態では、 アンダーリブ１６に左右のホールを設け、アンダーリブ１６の一端をホールを通して止定することにより、左右独立して、いずれの側からでも乳房を固定することが可能なブラジャーを提供することができる。特に本実施形態では、タスキがけのようにブラジャーを着用するので、腕を上げる必要が無く、腕の可動範囲が限られる場合であっても、容易に脱着することが可能である。
【００４０】
また、アンダーリブ１６の右端、又は左端のうち、先に止定する方をホールを用いてアンダーリブ１６の内側から被止定部に止定することが出来るため、左右で着用の順番が決まらず、左右いずれからでも、着用者にとって着用が容易な側から止定することができる。また、左右がそれぞれ別々に止定され、左右独立してバストの固定の程度を調節することができるため、パッド等を入れた場合であっても安定して乳房を固定することができる。
【００４１】
本実施形態のブラジャーでは、左右独立して、いずれの側からでも乳房を固定することが可能であるため、特に乳ガン等により乳房の一部又は全部を切除し、左右の乳房の重みが異なる場合であっても、左右の固定具合を適宜調節することができるため、安定して乳房を固定することが可能である。
【００４２】
また、本実施形態では左右の乳房を独立して固定できるため、授乳をする際であっても、授乳をしていない側の乳房が安定して固定されている。従って、授乳をしていない側がはだけることにより乳房が露出することもない。また、左右いずれからでも固定が可能であるため、着用者の好み、状況に対応することが可能である。
【００４３】
なお、本実施形態では、右カップ１１、左カップ１２、右肩ひも１３、左肩ひも１４及び背部１５が、一体に形成されているが、右カップ部１１と、右肩ひも１３とを別々に形成し、縫合等により固定してもよいし、スナップ等の着脱可能な止定部材で接続してもよい。左カップ部１２も同様である。また、背部１５を省略し、左右の肩ひもを直接背面側のアンダーリブ１６に固定、又は着脱可能に固定しても良い。また、背部１５だけでなく、左右の肩ひもを省略することも可能であるし、左右の肩ひものみを省略してもよい。
【符号の説明】
【００４４】
１０  ブラジャー
１１  右カップ
１２  左カップ
１３  右肩ひも
１４  左肩ひも
１５  背部
１６  アンダーリブ
２１  右ホール
２２  左ホール
２３  右止定部
２４  右被止定部
２５  左止定部
２６  左被止定部
３１，３２  内ポケット
【図１】
2011006825.tif 000003
【図２】
2011006825.tif 000004
【図３】
2011006825.tif 000005
【図４】
2011006825.tif 000006
【図５】
2011006825.tif 000007
【図６】
2011006825.tif 000008
【図７】
2011006825.tif 000009
【図８】
2011006825.tif 000010
【図９】
2011006825.tif 000011
【図１０】
2011006825.tif 000012